(57)【要約】【課題】洗浄水タンクの内側から外側に引き出される紐の操作部材側への水の浸透を防止できる便器洗浄装置を提供すること。【解決手段】便器洗浄装置１は、便器本体２ａと、便器本体２ａに送る洗浄水を貯留する洗浄水タンク４と、洗浄水タンク４の内側に配置され、便器本体２ａへの洗浄水の供給又は停止を切り替えるフロート弁４５０と、洗浄水タンク４の内側でフロート弁４５０に直接的又は間接的に接続される第１紐１２５と、フロート弁４５０の開閉操作を行う操作レバー１５０に接続される第２紐１２６と、洗浄水タンク４の外側で、間隔をあけて第１紐１２５と第２紐１２６を連結する連結金具１２７と、を備える。【選択図】図６
2017197927.tif 000002
【特許請求の範囲】
【請求項１】
便器本体と、
前記便器本体に送る洗浄水を貯留する洗浄水タンクと、
前記洗浄水タンクの内側に配置され、前記便器本体への洗浄水の供給又は停止を切り替える開閉弁と、
前記洗浄水タンクの内側で前記開閉弁に直接的又は間接的に接続される第１紐と、
前記開閉弁の開閉操作を行う操作部材側に接続される第２紐と、
前記洗浄水タンクの外側で、間隔をあけて前記第１紐と前記第２紐を連結する連結部材と、
を備える便器洗浄装置。
【請求項２】
前記第１紐の前記連結部材側の端部は、少なくとも前記開閉弁が閉状態の場合は前記洗浄水タンクに設定される所定水位以上の高さに位置される請求項１に記載の便器洗浄装置。
【請求項３】
前記第１紐は、前記操作部材が引っ張られると前記洗浄水タンクの縁部に摺動しながら外側に引き出されるように配置されており、
前記連結部材は、前記第１紐における前記洗浄水タンクに接触する範囲の外側に配置される請求項１又は２に記載の便器洗浄装置。
【請求項４】
前記第１紐及び前記第２紐は、前記連結部材にかしめ固定されることで連結される請求項１から３の何れかに記載の便器洗浄装置。
【発明の詳細な説明】
【技術分野】
【０００１】
本発明は、洗浄水タンクを備える便器洗浄装置に関する。
【背景技術】
【０００２】
従来、洗浄水タンクの内側に設けられる開閉弁に紐を接続し、該紐を引っ張ることにより開閉弁が開く機構を備える便器洗浄装置が知られている。この種の便器洗浄装置を開示するものとして例えば、特許文献１がある。特許文献１には、玉鎖引張り用レバーにおいて、鎖取付部に一端部が取り付けられた第１の玉鎖と、第１の玉鎖の他端部と、第１の玉鎖から分離された第２の玉鎖の一端部とを連結し、かつ、第２の玉鎖からの水が第１の玉鎖に伝わらないように水を遮断する水止めコネクタとをさらに備えた構成について記載されている。
【先行技術文献】
【特許文献】
【０００３】
【特許文献１】特許第４７５６４５７号公報
【発明の概要】
【発明が解決しようとする課題】
【０００４】
ところで、便器洗浄装置において、開閉弁を可動させる紐を洗浄水タンクの内側から外側に引き出して操作部材を接続し、該操作部材を引っ張ることで開閉弁を開く手動操作機構を設ける場合がある。この場合、紐の一部が洗浄水タンクの内側に位置するため、水が毛細管現象によって洗浄水タンクの内側から操作部材側まで広範囲に浸透してしまうおそれがある。染み込んだ水は紐の劣化につながってしまうため、水が浸透する部分はできるだけ少ないことが好ましい。
【０００５】
この点、特許文献１では、水止めコネクタによって水を遮断する構造を採用しているが、洗浄水タンクの内側から外側に紐を引き出すことは考慮されていない。また、水の流れを止める部材の材料として金属製のものを用いた場合、当該部材が洗浄水タンクの内側では水に浸漬していなかった場合でも洗浄水タンク内の湿気によって錆が発生し易くなる。樹脂を材料に用いた場合でも、洗浄水タンクに添加される洗剤により樹脂が劣化するおそれがある。水の流れを止める部材が劣化によって破損すれば手動操作を行うことができなくなってしまう。
【０００６】
本発明は、洗浄水タンクの内側から外側に引き出される紐の操作部材側への水の浸透を防止できる便器洗浄装置を提供することを目的とする。
【課題を解決するための手段】
【０００７】
本発明は、便器本体（例えば、後述の便器本体２ａ）と、前記便器本体に送る洗浄水を貯留する洗浄水タンク（例えば、後述の洗浄水タンク４）と、前記洗浄水タンクの内側に配置され、前記便器本体への洗浄水の供給又は停止を切り替える開閉弁（例えば、後述のフロート弁４５０）と、前記洗浄水タンクの内側で前記開閉弁に直接的又は間接的に接続される第１紐（例えば、後述の第１紐１２５）と、前記開閉弁の開閉操作を行う操作部材（例えば、後述の操作レバー１５０）側に接続される第２紐（例えば、後述の第２紐１２６）と、前記洗浄水タンクの外側で、間隔をあけて前記第１紐と前記第２紐を連結する連結部材（例えば、後述の連結金具１２７）と、を備える便器洗浄装置（例えば、後述の便器洗浄装置１）に関する。
【０００８】
前記第１紐の前記連結部材側の端部は、少なくとも前記開閉弁が閉状態の場合は前記洗浄水タンクに設定される所定水位（例えば、後述の所定水位ＷＬ）以上の高さに位置されることが好ましい。
【０００９】
前記第１紐は、前記操作部材が引っ張られると前記洗浄水タンクの縁部（例えば、後述の上側縁部１３２）に摺動しながら外側に引き出されるように配置されており、前記連結部材は、前記第１紐における前記洗浄水タンクに接触する範囲（例えば、後述の摺動部１２８）の外側に配置されることが好ましい。
【００１０】
前記第１紐及び前記第２紐は、前記連結部材にかしめ固定されることで連結されることが好ましい。
【発明の効果】
【００１１】
本発明の便器洗浄装置によれば、洗浄水タンクの内側から外側に引き出される紐の操作部材側への水の浸透を防止できる。
【図面の簡単な説明】
【００１２】
【図１】本発明の一実施形態に係る便器洗浄装置１の斜視図である。
【図２】本実施形態の便器洗浄装置１の側面図である。
【図３】上部カバー８ａを取り外した状態の洗浄水タンク４の一部を示す平面図である。
【図４】可動レバー１１０と紐１２０の接続部分を下から見た斜視図である。
【図５】第１紐１２５と第２紐１２６の接続を洗浄水タンク４の外側から見た側面図である。
【図６】洗浄水の所定水位ＷＬと連結金具１２７との位置関係を示す洗浄水タンク４の一部断面図である。
【発明を実施するための形態】
【００１３】
以下、本発明の便器洗浄装置１の好ましい一実施形態について、図面を参照しながら説明する。以下の説明においては、便器洗浄装置１の便座（不図示）に座った人から視た場合の前後の向きを前後方向とする。また、一対の側部カバー８ｂ，８ｂが離間する方向を左右方向とする。また、側部カバー８ｂから上部カバー８ａへ向かう方向（図１の上方向）を上方向とし、その反対方向を下方向とし、これらを上下方向とする。まず、本発明の一実施形態に係る便器洗浄装置１の全体構成について、図１及び図２を参照しながら説明する。
【００１４】
本実施形態の便器洗浄装置１は、図１及び図２に示すように、便器２と、ベースプレート３と、上部カバー８ａと、一対の側部カバー８ｂ，８ｂと、洗浄水タンク４と、水流調整機構６と、を備える。
【００１５】
便器２は、便器本体２ａと、便座（不図示）及び便蓋２ｂと、を含んで構成される。便座（不図示）及び便蓋２ｂは、便器本体２ａの上部に、便器本体２ａに対して回動可能に取り付けられる。
【００１６】
ベースプレート３は、図２に示すように、便器本体２ａの後部に取り付けられる。ベースプレート３の上方には、洗浄水タンク４が配置される。ベースプレート３には、水流調整機構６が取り付けられている。
【００１７】
水流調整機構６は、ベースプレート３に取り付けられ、給水流路部５１０（後述）の分岐流路部５１２を流通する水の流れを調整可能である。
水流調整機構６は、操作ダイヤル部７を有する。操作ダイヤル部７は、水流調整機構６の下方側に配置され、ベースプレート３の下方に突出するように配置される。操作ダイヤル部７は、水流調整機構６における補給水の量を操作可能である。
【００１８】
洗浄水タンク４は、ベースプレート３の上方において、便器２の後方かつ上方に配置され、便器本体２ａを洗浄する洗浄水を貯留する。洗浄水タンク４には、所定水位ＷＬが設定されており、所定量の洗浄水が貯留されるようになっている（図６参照）。
【００１９】
上部カバー８ａは、図１に示すように、洗浄水タンク４及び他の機能部品を覆うように形成される。
一対の側部カバー８ｂ，８ｂは、便器本体２ａの後方の左右方向の両側の側部を塞ぐように形成される。一対の側部カバー８ｂ，８ｂの形状は、便器本体２ａの左右方向において対称の形状である。
【００２０】
次に、上部カバー８ａの内部の構造について説明する。図３に示すように、洗浄水タンク４を支持するベースプレート３は、洗浄水タンク４等の各部を支持する板状の底板部３１０と、底板部３１０の端部に形成される周壁３２１と、を備える。
【００２１】
洗浄水タンク４は、上面が開口したタンク本体４０１と、このタンク本体４０１の上面に配置され、タンク本体４０１の上面を覆う蓋部４０２と、を備える。
【００２２】
洗浄水タンク４の内部には給水部５が配置される。給水部５には、給水流路部５１０が接続される。給水流路部５１０は、給水部５から洗浄水を洗浄水タンク４に供給する。給水部５には、外部の給水源（不図示）に接続される給水管（不図示）が接続されている。
【００２３】
給水流路部５１０は、主流路部５１１と、分岐流路部５１２と、を有する。主流路部５１１は、洗浄水タンク４の内部を通る。主流路部５１１は、給水部５から給水された洗浄水を、洗浄水タンク４に供給する。分岐流路部５１２は、主流路部５１１から分岐して洗浄水タンク４の外部を通る。
【００２４】
タンク本体４０１の下部には、フロート弁４５０により開閉される排水口（不図示）が形成されている。本実施形態のフロート弁４５０は、電動による開閉と手動による開閉の２種類の開閉方式を備える。まず、電動による開閉に関する機構について説明する。
【００２５】
洗浄水タンク４の蓋部４０２には、フロート弁４５０を開閉する動力を供給する駆動ユニット５５０が支持される。駆動ユニット５５０は、本体ケース５５１と、フロート弁４５０に連結される出力軸（軸状部材）５５２と、を備える。
【００２６】
本体ケース５５１には、駆動源としてのＤＣモータが内蔵されており、ＤＣモータの駆動力は出力軸５５２に伝達される。
【００２７】
出力軸５５２は、本体ケース５５１の給水部５側に突出しており、フロート弁４５０に接続されている。出力軸５５２の回転動作によってフロート弁４５０が開状態になる。
【００２８】
本実施形態では、操作部（図示省略）からの制御信号に基づいて駆動ユニット５５０の出力軸５５２が回転する。出力軸５５２が回転すると、該出力軸５５２に連動してフロート弁４５０が引き上げられて排水口が開放される。タンク本体４０１の内部に貯留された洗浄水がフロート弁４５０によって解放された排水口から流出して便器本体２ａに供給され、便器本体２ａが洗浄される。
【００２９】
本実施形態の便器洗浄装置１は、停電等で駆動ユニット５５０が駆動しない場合や駆動ユニット５５０が故障した場合等に手動でフロート弁４５０を開閉できるように構成される。洗浄水タンク４は、出力軸５５２を介してフロート弁４５０に連動する可動レバー１１０と、可動レバー１１０を可動する操作レバー１５０と、可動レバー１１０と操作レバー１５０を接続する紐１２０と、をフロート弁４５０を手動で開閉するための機構として備える。
【００３０】
可動レバー１１０は、出力軸５５２のフロート弁４５０に接続される側と反対側に接続され、出力軸５５２と一体的に回転する。
【００３１】
図４に示すように、可動レバー１１０は、出力軸５５２に固定され、該出力軸５５２の径方向に延びる可動レバー本体部１１１と、可動レバー本体部１１１の先端に配置される可動レバー係合部１１２と、を備える。なお、図４では、駆動ユニット５５０及び紐１２０以外の構成についてはその図示を省略している。
【００３２】
可動レバー本体部１１１には基端側から先端側にかけて溝１１３が形成されている。可動レバー係合部１１２は、可動レバー本体部１１１の溝１１３を閉鎖する壁状に形成されている。可動レバー係合部１１２には、紐１２０を通すためのスリット１１５が形成されている。
【００３３】
紐１２０の構成について説明する。図５に示すように、紐１２０は、可動レバー１１０に接続される第１紐１２５と、操作レバー１５０側に接続される第２紐１２６と、第１紐１２５と第２紐１２６を連結する連結金具１２７と、を備える。
【００３４】
第１紐１２５は、繊維で構成される可撓性を有する線状部材であり、一側の端部が可動レバー１１０に接続されるとともに、他側の端部が連結金具１２７に接続される。本実施形態では、第１紐１２５の可動レバー１１０に接続される側の端部には複数の玉（球状部材）１１６が固定される。複数の玉１１６は隙間をあけて配置されており、玉１１６と玉１１６の間の紐１２０の部分をスリット１１５に通すことにより、可動レバー１１０と紐１２０が接続される。玉１１６は、溝１１３の内側に収容された状態となり、可動レバー係合部１１２によって玉１１６が可動レバー１１０から外れようとする動きが規制される。
【００３５】
図６に示すように、第１紐１２５は、その一部が洗浄水タンク４の内側に位置する。本実施形態では、フロート弁４５０が閉状態にあるときは、可動レバー１１０の先端が下向きになっており、第１紐１２５の一部が洗浄水タンク４に貯留される洗浄水に浸漬する状態となっている。また、フロート弁４５０が開状態にあるときは、可動レバー１１０が水平方向を向くようになっている。この状態では、第１紐１２５は、外側に引き出されていないので、水面よりも上方に位置することになる。このように、本実施形態では、可動レバー１１０の可動に伴って動く第１紐１２５の一部が、可動レバー１１０の可動範囲の一部で洗浄水に浸漬するようになっている。
【００３６】
洗浄水タンク４の上部には、第１紐１２５を通す隙間を有し、水平方向に延びる突出片１３１が形成される。第１紐１２５は、この突出片１３１の下側を通して洗浄水タンク４の上側縁部１３２に接触した状態で下方の操作レバー１５０側に取り回される。本実施形態では、上側縁部１３２における第１紐１２５が通る部分にはラウンド部１３０が形成されている。ラウンド部１３０は、取り回される紐１２０が曲がる向きに合わせた曲面となっており、紐１２０が洗浄水タンク４に接触した状態で摺動して摩耗しないようになっている。
【００３７】
第１紐１２５における洗浄水タンク４に接触する部分である摺動部１２８は、可動レバー１１０の可動範囲、洗浄水タンク４の形状、等によって決まる範囲である（例えば、図６に示す範囲）。本実施形態の第１紐１２５の摺動部１２８は、連結金具１２７に接続される部分よりも可動レバー１１０側に設定されると言うこともできる。なお、摺動部１２８の範囲は、装置の形状等によって適宜変更されるものであり、図示される範囲に限定されるものではない。
【００３８】
連結金具１２７は、第１紐１２５の端部と第２紐１２６の端部をかしめ加工によって連結する連結部である。図６に示すように、フロート弁４５０が閉状態にあり、可動レバー１１０が下を向いている状態では、連結金具１２７は、フロート弁４５０が閉状態で、その下端部が所定水位ＷＬよりも上方に位置するように設定される。これによって、第２紐１２６の下端（連結金具１２７側の端部）は所定水位ＷＬよりも高い位置で保持される。なお、所定水位ＷＬは、洗浄水タンク４で通常貯留される水量によって予め定められる水位である。
【００３９】
連結金具１２７は、第１紐１２５の摺動部１２８よりも操作レバー１５０側の部分を連結するとともに、第２紐１２６の上端部を連結している。本実施形態では、第１紐１２５と第２紐１２６は、連結金具１２７の内側で接触しないように連結されている。
【００４０】
第２紐１２６は、繊維で構成される可撓性を有する線状部材であり、一側の端部が連結金具１２７に連結されるとともに、他側の端部が操作レバー１５０に接続される。第２紐１２６は、ベースプレート３の上方を通って操作レバー１５０側に取り回される。
【００４１】
本実施形態では、第２紐１２６の操作レバー１５０側に接続される側の端部にも複数の玉１２１が固定されており、操作レバー１５０にはこの複数の玉１２１を係合する操作レバー係合部１６０が設けられる（図３参照）。第２紐１２６の複数の玉を操作レバー係合部１６０に係合させることで、操作レバー１５０と第２紐１２６が連結される。これにより、操作レバー１５０は、第１紐１２５、連結金具１２７、第２紐１２６を介して可動レバー１１０に接続される。
【００４２】
操作レバー１５０の使用方法について説明する。ユーザは、まず、嵌合孔１８０から操作レバー１５０を下に引っ張り出す（図２及び図３参照）。ベースプレート３から操作レバー１５０を取り外した状態で操作レバー１５０を下に引っ張ることで可動レバー１１０が一側に回動して出力軸５５２がフロート弁４５０を開状態にする方向に回転し、洗浄水タンク４に貯留された水が便器本体２ａに送られる。
【００４３】
操作レバー１５０を使用していないときは、操作レバー１５０が嵌合孔１８０に嵌合されている（図２参照）。上述の通り、フロート弁４５０が閉状態のときは第１紐１２５の一部が洗浄水タンク４の洗浄水に浸漬している状態となる。第１紐１２５と第２紐１２６は、洗浄水タンク４の外側で連結金具１２７によって隔離された状態で連結されているので、繊維で構成される第１紐１２５から毛細管現象によって操作レバー１５０側に水が浸透しようとしても、連結金具１２７によって操作レバー１５０側の第２紐１２６に水が浸透する事態が防止されるので、操作レバー１５０を用いた上述の手動操作を確実に行うことができる。
【００４４】
以上説明した本実施形態の便器洗浄装置１によれば、以下のような効果を奏する。
本実施形態の便器洗浄装置１は、便器本体２ａと、便器本体２ａに送る洗浄水を貯留する洗浄水タンク４と、洗浄水タンク４の内側に配置され、便器本体２ａへの洗浄水の供給又は停止を切り替えるフロート弁４５０と、洗浄水タンク４の内側でフロート弁４５０に直接的又は間接的に接続される第１紐１２５と、フロート弁４５０の開閉操作を行う操作レバー１５０に接続される第２紐１２６と、洗浄水タンク４の外側で、間隔をあけて第１紐１２５と第２紐１２６を連結する連結金具１２７と、を備える。
【００４５】
これにより、第１紐１２５に水がしみ込んだ場合であっても、連結金具１２７によって第２紐１２６への水の浸透を確実に防止できる。また、連結金具１２７が洗浄水タンク４の外側に位置することにより、洗浄水タンク４内部に余分なスペースがない場合であっても、水の浸透を縁切りできる構造を実現することができる。
【００４６】
本実施形態の第１紐１２５の連結金具１２７側の端部は、少なくともフロート弁４５０が閉状態の場合は洗浄水タンク４に設定される所定水位ＷＬ以上の高さに位置される。
【００４７】
これにより、第１紐１２５の連結金具１２７側の端部の位置が所定水位ＷＬ以上の高さで保持されるので、第１紐１２５に水が浸透していても、サイフォン効果によって水が下側の第２紐１２６側に移動しようとする事態を効果的に防止できる。
【００４８】
本実施形態の第１紐１２５は、操作レバー１５０が引っ張られると洗浄水タンク４の上側縁部１３２に摺動しながら外側に引き出されるように配置されており、連結金具１２７は、第１紐１２５における洗浄水タンク４に接触する範囲（摺動部１２８）よりも操作レバー１５０側に配置される。
【００４９】
これにより、操作レバー１５０が引っ張られるときに連結金具１２７が洗浄水タンク４に干渉する事態を回避し、操作レバー１５０による手動操作をスムーズに行うことができるとともに、連結金具１２７が洗浄水タンク４に接触して第１紐１２５と第２紐１２６の連結が外れる事態も防止できる。
【００５０】
本実施形態の第１紐１２５及び第２紐１２６は、連結金具１２７にかしめ固定されることで連結される。これにより、洗浄水タンク４の外側で第１紐１２５と第２紐１２６が連結されるので、錆び等を気にすることなく金属材料を用いることができ、かしめ加工によって第１紐１２５と第２紐１２６を連結する作業を容易化することができる。
【００５１】
以上、本発明の好ましい一実施形態について説明したが、本発明は、上述の実施形態に制限されるものではなく、適宜変更が可能である。
【００５２】
上記実施形態では、連結部材として金属で構成される連結金具１２７を用いてかしめ加工によって第１紐１２５と第２紐１２６を連結する例を説明したが、連結部材の材料や形状は事情に応じて適宜変更することができる。例えば、連結部材の材料を樹脂とし、紐と一体成形する構成や、紐と紐を嵌合する嵌め込み式の構造を樹脂材料で成形したものを用いることができる。
【００５３】
上記実施形態では、可動レバー及び操作レバーがいずれも複数の玉を利用して紐１２０に接続される構成を例として説明したが、この構成に限定されない。紐１２０を接続する構成は事情に応じて適宜変更することができる。
【００５４】
上記実施形態では、洗浄水タンク４の内側で第１紐１２５が水に浸漬する状態がある例を説明したが、洗浄水タンクの内側で第１紐が水に浸漬しないものについても本発明を適用することができる。例えば、第１紐が洗浄水タンクの所定水位（水面）よりも常に上方に位置する構造であったとしても、洗浄水タンク４の内側では蒸気が充満し、第１紐に水が浸透する場合がある。このような場合でも、上記実施形態のように、洗浄水タンク４の外側で連結金具１２７によって第１紐１２５と第２紐１２６が連結されることにより、操作レバー側への水の浸透を確実に防止することができる。
【００５５】
上記実施形態では、第１紐１２５は、連動部材としての可動レバー１１０を介して開閉弁としてのフロート弁４５０に間接的に接続される構成であるが、第１紐が開閉弁に直接的に接続される構成とすることもできる。
【００５６】
上記実施形態では、操作レバー１５０が操作部材として第２紐１２６に接続される構成であるが操作レバー１５０の構成は事情に応じて適宜変更できる。例えば、第２紐の端部に連続する紐の部分を操作部材とし、紐を直接引っ張って開閉弁を開閉させる構成とすることができる。
【符号の説明】
【００５７】
１  便器洗浄装置
２ａ  便器本体
４  洗浄水タンク
１２５  第１紐
１２６  第２紐
１２７  連結金具（連結部材）
１５０  操作レバー（操作部材）
４５０  フロート弁（開閉弁）
【図１】
2017197927.tif 000003
【図２】
2017197927.tif 000004
【図３】
2017197927.tif 000005
【図４】
2017197927.tif 000006
【図５】
2017197927.tif 000007
【図６】
2017197927.tif 000008